(57)【要約】【課題】強度が高く、電流の確実な取り出しが容易であり、電流センサの検出精度も高いバッテリターミナルユニットを提供する。【解決手段】バッテリターミナルユニット１４は、第一ターミナル部材２１と第二ターミナル部材２２との間に電流センサ１５を収容している。第二ターミナル部材２２の穴部２６は内周面が全周においてバッテリポスト１２に接触するため、バッテリポスト１２と第二ターミナル部材２２とは電気的に確実な接続が確保され、接触部分における強度も向上する。また、電流センサ１５は、第一ターミナル部材２１と第二ターミナル部材２２との間に形成される空間に収容されるため、第一ターミナル部材２１および第二ターミナル部材２２に力が加わっても、電流センサ１５に加わる応力は低減され、電流センサ１５の変形あるいは磁気特性の変化が低減される。その結果、電流センサ１５によるバッテリポスト１２を流れる電流の検出精度が向上する。【選択図】図１
2010080288.tif 000002
【特許請求の範囲】
【請求項１】
バッテリ本体から突出するバッテリポストに取り付けられるバッテリターミナルユニットであって、
前記バッテリ本体側に設けられ、前記バッテリポストと絶縁されている第一ターミナル部材と、
導電体で形成され、前記第一ターミナル部材を挟んで前記バッテリ本体と反対側に、前記第一ターミナル部材と所定の間隔で概ね平行に設けられ、前記バッテリポストが挿入され内周面が前記バッテリポストに接触可能な穴部を有する第二ターミナル部材と、
前記第一ターミナル部材と前記第二ターミナル部材との間に収容され、前記バッテリポストが接触することなく挿入されるポスト穴を有し、前記バッテリポストを経由して前記第二ターミナル部材へ流れる電流を検出する電流センサと、
前記バッテリポストから前記第二ターミナル部材を経由して外部へ電流を取り出すための外部端子が接続される接続端子部と、
を備えることを特徴とするバッテリターミナルユニット。
【請求項２】
前記第一ターミナル部材および前記第二ターミナル部材の前記接続端子部と反対側の端部において、前記第一ターミナル部材と前記第二ターミナル部材とを接続する接続部をさらに備え、
前記第一ターミナル部材は、前記バッテリポストとの間に隙間を形成していることを特徴とする請求項１記載のバッテリターミナルユニット。
【請求項３】
前記接続端子部は、前記電流センサと絶縁されて前記電流センサから前記第一ターミナル部材の反対側へ突出して設けられ、
前記第二ターミナル部材は、前記接続端子部を嵌め込み可能な凹部を有することを特徴とする請求項１または２記載のバッテリターミナルユニット。
【請求項４】
前記電流センサと前記第一ターミナル部材および前記第二ターミナル部材との間に設けられ、衝撃を吸収する緩衝部材をさらに備えることを特徴とする請求項１から３のいずれか一項記載のバッテリターミナルユニット。
【請求項５】
前記第一ターミナル部材は、絶縁体で形成されていることを特徴とする請求項１から４のいずれか一項記載のバッテリターミナルユニット。
【請求項６】
前記第一ターミナル部材は、前記バッテリポストが挿入される挿入穴を有し、前記第二ターミナル部材と前記接続部との間において着脱可能に設けられていることを特徴とする請求項５記載のバッテリターミナルユニット。
【発明の詳細な説明】
【技術分野】
【０００１】
本発明は、バッテリポストから外部へ電流を取り出すためのバッテリターミナルユニットに関する。
【背景技術】
【０００２】
従来、バッテリから電流を取り出すバッテリターミナルと、バッテリから取り出される電流を検出する電流センサとを一体化する技術が特許文献１に開示されている。特許文献１の場合、バッテリ本体から突出するバッテリポストに取り付けられるバッテリターミナルは、電流センサの上方に一体に設けられている。
【０００３】
しかしながら、特許文献１の場合、バッテリポストとバッテリターミナルとが接する面積が小さい。そのため、電流の確実な取り出しが妨げられるおそれがあるとともに、強度の確保が困難であるという問題がある。また、バッテリポストにバッテリターミナルを取り付けたとき、バッテリとバッテリターミナルとの間に位置する電流センサに応力が加わるおそれがある。そのため、電流センサの磁気特性が変化し、検出精度の低下を招くという問題がある。
【特許文献１】特開２００７−２１４０６８号公報
【発明の開示】
【発明が解決しようとする課題】
【０００４】
そこで、本発明の目的は、強度が高く、電流の確実な取り出しが容易であり、電流センサの検出精度も高いバッテリターミナルユニットを提供することにある。
【課題を解決するための手段】
【０００５】
請求項１記載の発明では、第二ターミナル部材の穴部は、内周面がバッテリポストに接触可能である。そのため、第二ターミナル部材は、穴部の全周においてバッテリポストに接触する。これにより、バッテリポストと第二ターミナル部材とは、電気的に確実な接続が確保されるとともに、接触部分における強度が向上する。したがって、強度を高めることができるとともに、電流を確実かつ容易に取り出すことができる。また、第一ターミナル部材と第二ターミナル部材とは、所定の間隔で概ね平行に設けられている。そのため、電流センサは、この第一ターミナル部材と第二ターミナル部材との間に形成される空間に収容される。これにより、第一ターミナル部材および第二ターミナル部材に力が加わっても、電流センサに加わる応力が低減される。その結果、電流センサは、変形、あるいは電流センサに加わる応力による磁気特性の変化が低減される。したがって、電流センサの検出精度を高めることができる。
【０００６】
請求項２記載の発明では、第一ターミナル部材は接続部において第二ターミナル部材と接続されている。これにより、第一ターミナル部材および第二ターミナル部材は、一体に構成され、取り扱いが容易になる。一方、接続部において第一ターミナル部材と第二ターミナル部材とが接続することにより、第一ターミナル部材および第二ターミナル部材は同電位となる。そのため、第一ターミナル部材とバッテリポストとが接していると、バッテリポストから接続部および第二ターミナル部材を経由して接続端子部に接続される外部端子へ電流が流れるおそれがある。そこで、請求項２記載の発明では、第一ターミナル部材は、バッテリポストとの間に隙間を形成している。これにより、第一ターミナル部材は、バッテリポストと絶縁されている。したがって、第一ターミナル部材を経由した電流の短絡が防止され、電流センサによる電流の検出精度を高めることができる。
【０００７】
請求項３記載の発明では、接続端子部は電流センサと絶縁されつつ電流センサに設けられている。一方、第二ターミナル部材は、電流センサに設けられている接続端子部を嵌め込み可能な凹部を有している。これにより、電流センサに設けられている接続端子部を第二ターミナル部材の凹部に嵌め込むことにより、電流センサと第二ターミナル部材とは位置の決定がされつつ一体に構成される。すなわち、第一ターミナル部材と第二ターミナル部材との間に収容される電流センサは、接続端子部と凹部との嵌め合わせによってその位置が決定される。したがって、各部材の位置を容易に決定することができる。
【０００８】
請求項４記載の発明では、電流センサと第一ターミナル部材および第二ターミナル部材との間に緩衝部材が設けられている。そのため、第一ターミナル部材および第二ターミナル部材から電流センサに加わる力は、緩衝部材によって吸収される。その結果、電流センサは、変形、あるいは電流センサに加わる応力による磁気特性の変化がより低減される。したがって、電流センサの検出精度を高めることができる。
【０００９】
請求項５記載の発明では、第一ターミナル部材は絶縁体で形成されている。そのため、接続部において第二ターミナル部材と接続する場合でも、第一ターミナル部材と第二ターミナル部材との間における電流の短絡が防止される。これにより、電流は、電流センサのポスト穴に挿入されるバッテリポストを経由して第二ターミナル部材へ流れる。その結果、電流センサは、バッテリポストを流れる電流を検出する。したがって、電流センサの検出精度を高めることができる。
請求項６記載の発明では、第一ターミナル部材は、第二ターミナル部材および接続部と着脱可能に設けられている。これにより、第一ターミナル部材を別部材で構成する場合でも、第二ターミナル部材と容易に組み付けられる。したがって、取り扱いを容易にすることができる。
【発明を実施するための最良の形態】
【００１０】
以下、本発明によるバッテリターミナルユニットの複数の実施形態を図面に基づいて説明する。なお、各実施形態において実質的に同一の構成部位には同一の符号を付し、説明を省略する。
（第１実施形態）
本発明の第１実施形態によるバッテリターミナルユニットを取り付けたバッテリを図１に示す。図１に示すようにバッテリ１０は、バッテリ本体１１およびバッテリポスト１２を備えている。バッテリ本体１１は、例えば図示しない電極板や電解質溶液を収容している。バッテリポスト１２は、導電性の金属によって形成され、バッテリ本体１１から突出している。一般に、バッテリポスト１２は、天地方向においてバッテリ本体１１の上端面から上方へ突出して設けられている。バッテリポスト１２は、円柱状またはテーパ状に形成されている。
【００１１】
バッテリターミナルユニット１３は、バッテリターミナル１４と、このバッテリターミナル１４に組み付けられた電流センサ１５とから構成されている。バッテリターミナル１４は、第一ターミナル部材２１および第二ターミナル部材２２を有している。第一ターミナル部材２１および第二ターミナル部材２２は、間に電流センサ１５を挟み込んでいる。すなわち、第一ターミナル部材２１および第二ターミナル部材２２は、所定の間隔で概ね平行に設けられており、間に電流センサ１５を収容する空間を形成している。
【００１２】
第１実施形態の場合、第一ターミナル部材２１と第二ターミナル部材２２とは、一端側すなわち図１の左方に設けられている接続部２３で接続している。接続部２３は、第一ターミナル部材２１と第二ターミナル部材２２とを回転可能なヒンジ状に接続している。第一ターミナル部材２１は、電流センサ１５よりもバッテリ本体１１側に設けられている。これにより、第一ターミナル部材２１は、電流センサ１５のバッテリ本体１１側に位置している。第１実施形態の場合、第一ターミナル部材２１は、一端が接続部２３において第二ターミナル部材２２と接続し、他端がかしめ部２４において第二ターミナル部材２２と接続している。第一ターミナル部材２１の接続部２３側とかしめ部２４側との間には、バッテリポスト１２が挿入されている。第一ターミナル部材２１は、バッテリポスト１２が挿入される挿入穴２５を有している。ここで、挿入穴２５の内径は、バッテリポスト１２の外径よりも十分に大きい。そのため、第一ターミナル部材２１は、バッテリポスト１２と接していない。すなわち、第一ターミナル部材２１とバッテリポスト１２との間には、隙間が形成される。これにより、第一ターミナル部材２１とバッテリポスト１２との間は、隙間によって絶縁されている。
【００１３】
第二ターミナル部材２２は、例えば鉄や銅などの導電性の金属で形成されている。第二ターミナル部材２２は、接続部２３と反対側の端部すなわち他端側にかしめ部２４を有している。かしめ部２４は、図１および図２に示すように第二ターミナル部材２２から第一ターミナル部材２１側へ延び、第一ターミナル部材２１のバッテリ本体１１側へ回り込んでいる。これにより、第一ターミナル部材２１と第二ターミナル部材２２とは、接続部２３と反対側の端部において一体に接続されている。このように、第一ターミナル部材２１および第二ターミナル部材２２は、接続部２３およびかしめ部２４において一体に接続され、その間に電流センサ１５を収容している。
【００１４】
第二ターミナル部材２２は、接続部２３とかしめ部２４との間にバッテリポスト１２が貫く穴部２６を有している。穴部２６は、バッテリポスト１２が挿入される。そして、穴部２６を形成する第二ターミナル部材２２の内周面は、穴部２６に挿入されたバッテリポスト１２の外周面と接触可能である。これにより、図１に示すようにバッテリ１０にバッテリターミナルユニット１３を取り付けたとき、穴部２６を形成する第二ターミナル部材２２とバッテリポスト１２とは電気的に接続される。
【００１５】
バッテリターミナル１４は、図１および図２に示すように接続部２３と反対の端部側すなわちかしめ部２４側に接続端子部２７を有している。接続端子部２７は、外部に接続された図示しない外部端子が取り付けられる。接続端子部２７は例えば雄ねじなどが形成されており、この接続端子部２７に図示しない外部端子を取り付け、例えばナットを締め付けることにより、接続端子部２７に外部端子が接続される。その結果、外部端子は第二ターミナル部材２２と接し、第二ターミナル部材２２と外部端子とが電気的に接続される。接続端子部２７は、例えば絶縁体などにより、第一ターミナル部材２１から第二ターミナル部材２２側へ立ち上がって設けられている。第一ターミナル部材２１と一体に取り付けられている接続端子部２７は、第二ターミナル部材２２を貫いている。
【００１６】
電流センサ１５は、ケーシング２８を有している。ケーシング２８は、樹脂で形成され、内側に図示しない円環状のコアを収容している。電流センサ１５は、ポスト穴２９を有する略円環状に形成されている。ポスト穴２９は、内周側にバッテリポスト１２が挿入される。ポスト穴２９の内径は、バッテリポスト１２の外径よりも大きい。そのため、電流センサ１５は、ポスト穴２９においてバッテリポスト１２と接しない。ポスト穴２９に挿入されたバッテリポスト１２を電流が流れることにより、バッテリポスト１２の周囲には磁界が発生する。電流センサ１５のコアは、このバッテリポスト１２の周囲に発生した磁界を検出する。電流センサ１５は、コアで検出した磁束を電圧に変換するとともに、変換した電圧を配線部材３１を経由して外部へ出力する。これによりバッテリポスト１２を電流が流れると、電流センサ１５はバッテリポスト１２を流れる電流に対応した電圧を配線部材３１から外部へ出力する。
【００１７】
電流センサ１５においてバッテリポスト１２が挿入されるポスト穴２９の内径は、バッテリポスト１２にあわせて設定されている。バッテリポスト１２は、例えば日本のＪＩＳ規格、米国のＢＣＩ規格あるいは欧州のＤＩＮ規格などにより各端子の径が設定されている。ポスト穴２９の内径は、これら各種の規格に応じて設定される。
【００１８】
第一ターミナル部材２１は、図２に示すように電流センサ１５の周方向において接続部２３と接続端子部２７との間に、径方向外側の端部から第二ターミナル部材２２側へ突出する規制部３２を有している。また、第二ターミナル部材２２は、電流センサ１５の周方向において接続部２３と接続端子部２７との間に、径方向外側の端部から第一ターミナル部材２１側へ突出する規制部３３を有している。第一ターミナル部材２１の規制部３２と第二ターミナル部材２２の規制部３３とは、図１に示すように互いに隙間を形成して対向している。このように第一ターミナル部材２１から第二ターミナル部材２２側へ突出する規制部３２と第二ターミナル部材２２から第一ターミナル部材２１側へ突出する規制部３３とが対向することにより、電流センサ１５はこれらの規制部３２、３３によって径方向の移動が制限される。これにより、電流センサ１５は、第一ターミナル部材２１と第二ターミナル部材２２との間に保持される。このとき、電流センサ１５は、第一ターミナル部材２１および第二ターミナル部材２２との間に隙間を形成している。電流センサ１５は、例えば配線部材３１とこれを支持する第一ターミナル部材２１および第二ターミナル部材２２との位置を規定することにより、第一ターミナル部材２１および第二ターミナル部材２２との間に隙間を形成する。このように、電流センサ１５と第一ターミナル部材２１および第二ターミナル部材２２との間に隙間を形成することにより、第一ターミナル部材２１および第二ターミナル部材２２から電流センサ１５側へ伝わる力はこれらの隙間で吸収される。なお、電流センサ１５のポスト穴２９の径方向外側に第一ターミナル部材２１および第二ターミナル部材２２側へ突出する図示しない段差部などを形成することにより、電流センサ１５と第一ターミナル部材２１および第二ターミナル部材２２との間に隙間を形成してもよい。
【００１９】
上述のように、第二ターミナル部材２２は、金属などの導電体で形成されている。そのため、バッテリターミナルユニット１３をバッテリ１０に取り付けると、バッテリポスト１２と第二ターミナル部材２２とが電気的に接続される。これにより、電流は、バッテリポスト１２および第二ターミナル部材２２を順に経由して接続端子部２７に接続される外部端子から外部へ流れる。一方、第一ターミナル部材２１は、バッテリポスト１２との間に形成される隙間によってバッテリポスト１２と絶縁されている。これにより、第一ターミナル部材２１と第二ターミナル部材２２とが接続部２３およびかしめ部２４において電気的に接続されている場合でも、バッテリポスト１２を流れる電流は第一ターミナル部材２１を経由することなく、第二ターミナル部材２２に接続された外部端子へ流れる。その結果、バッテリ１０から取り出される電流は、第一ターミナル部材２１から第二ターミナル部材２２へ短絡することなく、バッテリポスト１２を流れる。したがって、電流センサ１５は、バッテリポスト１２を流れる電流を検出することができる。
【００２０】
以上、説明した本発明の第１実施形態では、第二ターミナル部材２２の穴部２６は、内周面がバッテリポスト１２に接触する。そのため、第二ターミナル部材２２は、穴部２６の全周においてバッテリポスト１２に接触する。これにより、バッテリポスト１２と第二ターミナル部材２２とは、電気的に確実な接続が確保されるとともに、接触部分における強度が向上する。したがって、強度を高めることができるとともに、電流を確実かつ容易に取り出すことができる。また、第一ターミナル部材２１と第二ターミナル部材２２とは、所定の間隔で概ね平行に設けられている。そのため、電流センサ１５は、この第一ターミナル部材２１と第二ターミナル部材２２との間に形成される空間に収容される。これにより、第一ターミナル部材２１および第二ターミナル部材２２に力が加わっても、電流センサ１５に加わる応力が低減される。その結果、電流センサ１５は、変形、あるいは電流センサ１５に加わる応力による磁気特性の変化が低減される。したがって、電流センサ１５によるバッテリポスト１２を流れる電流の検出精度を高めることができる。
【００２１】
また、第１実施形態では、第一ターミナル部材２１は接続部２３において第二ターミナル部材２２と接続されている。これにより、第一ターミナル部材２１および第二ターミナル部材２２は、一体に構成され、取り扱いが容易になる。ところで、接続部２３において第一ターミナル部材２１と第二ターミナル部材２２とが接続することにより、第一ターミナル部材２１および第二ターミナル部材２２は同電位となる。そのため、第一ターミナル部材２１とバッテリポスト１２とが接していると、バッテリポスト１２から接続部２３および第二ターミナル部材２２を経由して接続端子部２７に接続された外部端子へ電流が流れるおそれがある。そこで、第１実施形態の場合、第一ターミナル部材２１は、バッテリポスト１２との間に隙間を形成している。これにより、第一ターミナル部材２１は、バッテリポスト１２と絶縁される。したがって、第一ターミナル部材２１を経由した電流の短絡が防止され、電流センサ１５による電流の検出精度を高めることができる。
【００２２】
さらに、第１実施形態では、電流センサ１５と第一ターミナル部材２１および第二ターミナル部材２２との間に隙間が形成されている。そのため、第一ターミナル部材２１および第二ターミナル部材２２から電流センサ１５に加わる力は、隙間によって吸収される。その結果、電流センサ１５は、変形、あるいは電流センサ１５に加わる応力による磁気特性の変化がより低減される。したがって、電流センサ１５の検出精度を高めることができる。
【００２３】
（第２実施形態）
本発明の第２実施形態によるバッテリターミナルユニットを図３に示す。
第２実施形態では、図３に示すようにバッテリターミナルユニット１３は緩衝部材３４を備えている。緩衝部材３４は、電流センサ１５を覆っており、電流センサ１５と第一ターミナル部材２１および第二ターミナル部材２２との間に設けられている。緩衝部材３４は、例えばゴムやウレタンフォームなどの柔軟な材料で形成されている。これにより、第一ターミナル部材２１または第二ターミナル部材２２から電流センサ１５へ加わる衝撃は減少する。また、第一ターミナル部材２１または第二ターミナル部材２２が変形しても、その変形は緩衝部材３４で吸収される。その結果、第一ターミナル部材２１または第二ターミナル部材２２から電流センサ１５へ加わる応力は低減される。
【００２４】
電流センサ１５は、第１実施形態で説明したように第一ターミナル部材２１および第二ターミナル部材２２との間に隙間を形成するとともに、樹脂製のケーシング２８を有している。そのため、第一ターミナル部材２１または第二ターミナル部材２２から加わる力は、これらの隙間およびケーシング２８によって概ね吸収される。しかし、第一ターミナル部材２１または第二ターミナル部材２２から電流センサ１５へ加わる力が過大になると、隙間およびケーシング２８だけではその吸収が不十分になるおそれがある。
【００２５】
第２実施形態では、電流センサ１５と第一ターミナル部材２１および第二ターミナル部材２２との間に緩衝部材３４が設けられている。そのため、第一ターミナル部材２１および第二ターミナル部材２２から電流センサ１５に加わる力は、緩衝部材３４によって吸収される。その結果、電流センサ１５は、変形、あるいは電流センサ１５に加わる応力による磁気特性の変化がより低減される。したがって、電流センサ１５の検出精度をより高めることができる。
【００２６】
（第３実施形態）
本発明の第３実施形態によるバッテリターミナルユニットを図４および図５に示す。
第３実施形態では、図４に示すように接続端子部２７は電流センサ１５を貫いている。電流センサ１５は、図５に示すように径方向外側へ突出する突出部３５を有している。突出部３５は、樹脂製のケーシング２８と一体に形成されている。第一ターミナル部材２１から第二ターミナル部材２２側へ延びる接続端子部２７は、この突出部３５に設けられた貫通穴３６を貫いている。電流センサ１５の貫通穴３６に接続端子部２７を挿入することにより、電流センサ１５は第一ターミナル部材２１および第二ターミナル部材２２で構成されるバッテリターミナル１４に保持される。これとともに、第一ターミナル部材２１と第二ターミナル部材２２との間には、電流センサ１５の突出部３５が挟み込まれる。そのため、第一ターミナル部材２１と第二ターミナル部材２２との間は、樹脂製のケーシング２８と一体の突出部３５によって絶縁される。
【００２７】
第３実施形態では、接続端子部２７側において第一ターミナル部材２１と第二ターミナル部材２２との間に電流センサ１５の突出部３５を挟み込むことにより、第一ターミナル部材２１と第二ターミナル部材２２との間の絶縁を図ることができる。また、第一ターミナル部材２１および第二ターミナル部材２２に電流センサ１５を保持することができ、取り扱いを容易にすることができる。なお、図４に示す第３実施形態ではかしめ部２４を図示していないが、かしめ部２４を設けてもよい。
【００２８】
（第４実施形態）
本発明の第４実施形態によるバッテリターミナルユニットを図６に示す。
第４実施形態では、図６に示すように接続端子部２７は電流センサ１５の突出部３５に固定されている。接続端子部２７は、樹脂製の突出部３５によって電流センサ１５とは絶縁されている。第二ターミナル部材２２は、かしめ２４部側に電流センサ１５に設けられている接続端子部２７が嵌め込まれる凹部３８を有している。凹部３８に接続端子部２７を嵌め込むことにより、バッテリターミナル１４と電流センサ１５とは一体に組み付けられる。また、凹部３８に嵌め込まれる接続端子部２７は、凹部３８を形成する第二ターミナル部材２２と接する。これにより、第二ターミナル部材２２と接続端子部２７とは電気的に接続される。
【００２９】
第４実施形態では、電流センサ１５に設けられている接続端子部２７を第二ターミナル部材２２の凹部３８に嵌め込むことにより、電流センサ１５と第二ターミナル部材２２とは位置の決定がされつつ一体に構成される。すなわち、第一ターミナル部材２１と第二ターミナル部材２２との間に収容される電流センサ１５は、接続端子部２７と凹部３８との嵌め合わせによってその位置が決定される。したがって、各部材の位置を容易に決定することができる。
【００３０】
（第５実施形態）
第５実施形態によるバッテリターミナルユニットを図７に示す。
第５実施形態では、第一ターミナル部材２１は、バッテリポスト１２の近傍において接続部２３側の支持部２１１とかしめ部２４側の支持部２１２とに分断されている。すなわち、第一ターミナル部材２１は、接続部２３側とかしめ部２４側とが独立した別部品で構成されている。これにより、第一ターミナル部材２１は、バッテリポスト１２と接することなく、バッテリポスト１２と絶縁が図られている。一方、第一ターミナル部材２１を構成する支持部２１１および支持部２１２は、いずれも電流センサ１５をバッテリ本体１１側から支持している。これにより、電流センサ１５は、バッテリポスト１２に対する位置を決定することができる。
【００３１】
（第６実施形態）
本発明の第６実施形態によるバッテリターミナルユニットを図８に示す。
第６実施形態では、第一ターミナル部材４１は、図８に示すように例えばゴムや樹脂などの絶縁体で形成されており、一部が第二ターミナル部材２２から着脱可能である。第一ターミナル部材４１は、中央部にバッテリポスト１２が挿入される挿入穴４５を有している。
【００３２】
第６実施形態の場合、第一ターミナル部材４１は、絶縁体で形成されているので、接続部２３において第二ターミナル部材２２と接続する場合でも、第一ターミナル部材４１と第二ターミナル部材２２との間における電流の短絡が防止される。これにより、電流は、電流センサ１５のポスト穴２９に挿入されるバッテリポスト１２を経由して第二ターミナル部材２２へ流れる。その結果、電流センサ１５は、バッテリポスト１２を流れる電流を検出する。したがって、電流センサ１５の検出精度を高めることができる。
【００３３】
また、第６実施形態の場合、第一ターミナル部材４１は、第二ターミナル部材２２および接続部２３と着脱可能に設けられている。これにより、第一ターミナル部材４１を別部材で構成する場合でも、第二ターミナル部材２２と容易に組み付けられる。したがって、取り扱いを容易にすることができる。
以上説明した本発明は、上記実施形態に限定されるものではなく、その要旨を逸脱しない範囲で種々の実施形態に適用可能である。
【図面の簡単な説明】
【００３４】
【図１】本発明の第１実施形態によるバッテリターミナルユニットの側面視を示す概略図
【図２】本発明の第１実施形態によるバッテリターミナルユニットを示す概略斜視図
【図３】本発明の第２実施形態によるバッテリターミナルユニットの側面視を示す概略図
【図４】本発明の第３実施形態によるバッテリターミナルユニットの側面視を示す概略図
【図５】本発明の第３実施形態によるバッテリターミナルユニットの電流センサの平面視を示す概略図
【図６】本発明の第４実施形態によるバッテリターミナルユニットを示す概略図であって、（Ａ）は第二ターミナル部材および電流センサを示す平面図、（Ｂ）は電流センサを（Ａ）の矢印Ｂ方向から見た矢視図
【図７】本発明の第５実施形態によるバッテリターミナルユニットの側面視を示す概略図
【図８】本発明の第６実施形態によるバッテリターミナルユニットの側面視を示す概略図
【符号の説明】
【００３５】
図面中、１１はバッテリ本体、１２はバッテリポスト、１３はバッテリターミナルユニット、１５は電流センサ、２１、４１は第一ターミナル部材、２２は第二ターミナル部材、２３は接続部、２６は穴部、２７は接続端子部、２９はポスト穴、３４は緩衝部材、３８は凹部、４５は挿入穴を示す。
【図１】
2010080288.tif 000003
【図２】
2010080288.tif 000004
【図３】
2010080288.tif 000005
【図４】
2010080288.tif 000006
【図５】
2010080288.tif 000007
【図６】
2010080288.tif 000008
【図７】
2010080288.tif 000009
【図８】
2010080288.tif 000010